(57)【要約】【課題】多重露光用の感光材料に対し、低コストで画像を形成する。【解決手段】画像記録装置１は、光線Ｌを出射する光源１０と、光源１０から出射される光線Ｌを反射して主走査方向Ｘに走査させる回転多面鏡４０と、樹脂製の少なくとも１つのレンズを有して回転多面鏡４０で反射した光線Ｌを多重露光用の感光材料Ｋの表面に集光する第２レンズユニット５０とを備える。の第２レンズユニット５０は、以下の式（１）を満たす非球面形状の光学面を少なくとも１つ有する。    −２≦−８×Ｓ2×（ｎ−１）×σ／Ｌ2≦２  ［ｍｍ］          …（１）（但し、Ｓ：第２レンズユニット５０の像側主面から像側焦点までの距離［ｍｍ］、ｎ：光学面を有するレンズの屈折率、σ：光学面の形状誤差による凹凸部６０の深さ［ｍｍ］、Ｌ：凹凸部６０の、主走査方向Ｘと交差する副走査方向Ｙの幅［ｍｍ］）【選択図】図１
2008003365.tif 000002
【特許請求の範囲】
【請求項１】
光線を出射する光源と、
前記光源から出射される光線を反射して主走査方向に走査させる偏向手段と、
樹脂製の少なくとも１つのレンズを有し、前記偏向手段で反射した光線を多重露光用の感光材料の表面に集光する集光レンズユニットとを備え、
この集光レンズユニットは、以下の式（１）を満たす非球面形状の光学面を少なくとも１つ有することを特徴とする画像記録装置。
−２≦−８×Ｓ2×（ｎ−１）×σ／Ｌ2≦２  ［ｍｍ］          …（１）
（但し、
Ｓ：前記集光レンズユニットの像側主面から像側焦点までの距離［ｍｍ］、
ｎ：前記光学面を有する前記レンズの屈折率、
σ：前記光学面の形状誤差による凹凸部の深さ［ｍｍ］、
Ｌ：前記凹凸部の、前記主走査方向と交差する交差方向の幅［ｍｍ］）
【請求項２】
請求項１記載の画像記録装置において、
前記集光レンズユニットを通過する光線のうち、前記凹凸部を通らない光線の像側焦点から、前記凹凸部を通過する光線の像側焦点までの、光軸方向における焦点距離の差Ｚは、以下の式（２）及び式（３）を満たすことを特徴とする画像記録装置。
Ｚ＝−８×Ｓ2×（ｎ−１）×σ／Ｌ2    …（２）
０≦｜Ｚ｜≦２  ［ｍｍ］              …（３）
【請求項３】
請求項１または２記載の画像記録装置において、
前記光学面を有する前記レンズは、前記交差方向にパワーを有することを特徴とする画像記録装置。
【請求項４】
請求項１〜３の何れか一項に記載の画像記録装置において、
前記偏向手段の走査毎に前記感光材料を前記交差方向に搬送することにより、当該感光材料における露光済み領域を前記交差方向に移動させる搬送装置を備え、
前記偏向手段が光線を走査することによって露光される前記感光材料の各単位露光領域のうち、前記交差方向の中央部での光エネルギーａと、
前記偏向手段が光線を複数回走査することによって多重露光される前記感光材料の各多重露光領域のうち、前記交差方向の中央部での光エネルギーｂと、
前記集光レンズユニットを通過する光線のうち、前記凹凸部を通らない光線の像側焦点から、前記凹凸部を通過する光線の像側焦点までの、光軸方向における焦点距離の差Ｚと、
多重露光による前記感光材料の感度上昇率αとが、以下の式（４）〜（８）を満たすことを特徴とする画像記録装置。
ａ＝１＋２×exp(−２×Ｐ2/(ｗ0/２)2/(１＋(４×λ×Ｚ/π/ｗ02)2)      …（４）
ｂ＝２×exp(−２×（Ｐ/２）2/(ｗ0/２)2/(１＋（４×λ×Ｚ/π/ｗ02）2)  …（５）
Ｚ＝−８×Ｓ2×（ｎ−１）×σ／Ｌ2    …（６）
０≦｜Ｚ｜≦２  ［ｍｍ］              …（７）
０．９≦α×（ｂ／ａ）≦１．１      …（８）
（但し、
ｐ：複数の前記単位露光領域のピッチ［μｍ］、
ｗ0：前記集光レンズユニットによって集光された光線の、前記交差方向におけるビームウェスト［μｍ］、
λ：光線の波長［ｎｍ］）
【発明の詳細な説明】
【技術分野】
【０００１】
本発明は、感光材料の表面を露光することによって画像の記録を行う画像記録装置に関する。
【背景技術】
【０００２】
従来、フィルム等の感光材料に画像を記録する画像記録装置として、光線を走査させて感光材料の各領域を順次露光して画像を記録する走査型の画像記録装置がある。
【０００３】
この画像記録装置は、図５に示すように、光線を偏向手段１００によって主走査方向Ｘに走査させつつガラス製の集光レンズユニット１０１で感光材料Ｋに集光して所定幅の領域内に画像を記録する工程と、副走査方向Ｙに感光材料Ｋを搬送する工程とを交互に繰り返すことにより、感光材料Ｋの表面に画像を記録するようになっている（例えば、特許文献１参照）。
【０００４】
ところで、露光によって画像が記録される感光材料Ｋとして、近年、露光回数の増加によって感度が上昇する多重露光用の感光材料が開発されている（例えば、特許文献２参照）。このような感光材料によれば、集光レンズユニット１０１による集光スポットの端部で露光量が小さくなる場合であっても、複数回の走査によって集光スポットの端部同士を重ね合わせることにより、露光強度を均一化することが可能となる。    
【特許文献１】特開２００１−３１１８９７号公報
【特許文献２】特開平７−２３９５１３号公報
【発明の開示】
【発明が解決しようとする課題】
【０００５】
しかしながら、このような多重露光用の感光材料を用いる画像記録装置では、集光レンズユニット１０１がガラス製であるため、装置が高額化してしまう。
【０００６】
一方、集光レンズユニット１０１を単純に樹脂製とすると、各レンズに設計上の理想的な光学面に対する凹凸部が製造誤差等によって形成され易くなってしまう。そして、このような凹凸部が形成されると、図５に示すように、各走査によって露光される領域中、凹凸部の対応領域１０２のみで露光による光エネルギー量が変化してしまい、副走査方向Ｙにスジ状の記録ムラが生じてしまう。
【０００７】
本発明の課題は、多重露光用の感光材料に対し、低コストで画像を形成することができる画像記録装置を提供することである。
【課題を解決するための手段】
【０００８】
以上の課題を解決するため、請求項１記載の発明は、画像記録装置であって、
光線を出射する光源と、
前記光源から出射される光線を反射して主走査方向に走査させる偏向手段と、
樹脂製の少なくとも１つのレンズを有し、前記偏向手段で反射した光線を多重露光用の感光材料の表面に集光する集光レンズユニットとを備え、
この集光レンズユニットは、以下の式（１）を満たす非球面形状の光学面を少なくとも１つ有することを特徴とする。
−２≦−８×Ｓ2×（ｎ−１）×σ／Ｌ2≦２  ［ｍｍ］          …（１）
（但し、
Ｓ：前記集光レンズユニットの像側主面から像側焦点までの距離［ｍｍ］、
ｎ：前記光学面を有する前記レンズの屈折率、
σ：前記光学面の形状誤差による凹凸部の深さ［ｍｍ］、
Ｌ：前記凹凸部の、前記主走査方向と交差する交差方向の幅［ｍｍ］）
【０００９】
ここで、多重露光用の感光材料とは、多重露光によって感度が上昇または減少する多重露光効果を有する感光材料のことである。
また、光学面の形状誤差による凹凸部とは、所要の光学的機能を得るための設計によって一義的に定まる光学面の理想形状に対し、製造誤差や変形などによって生じる凹凸部のことである。
【００１０】
請求項１記載の発明によれば、多重露光用の感光材料に対して樹脂製の集光レンズユニットにより画像を形成するので、ガラス製の集光レンズユニットで画像を形成する従来の場合と比較して、低コストで画像を形成することができる。
【００１１】
また、集光レンズユニットが上記（１）式を満たす光学面を少なくとも１つ有するので、集光レンズユニットが樹脂製であるために設計上の理想的な光学面に対する凹凸部が製造誤差等によって形成され易い場合であっても、全ての光学面を理想的な光学面とする必要がない分、画像記録装置の製造コストを低減することができる。従って、より低コストで画像を形成することができる。
【００１２】
また、集光レンズユニットが上記式（１）を満たす光学面を有するので、設計上の理想的な光学面に対する凹凸部が形成されている場合であっても、多重露光用の感光材料に画像を記録する場合に、複数回の走査によって感光材料を均一に露光することができる。従って、従来と異なり、画像にスジ状の記録ムラが生じるのを防止することができる。
【００１３】
請求項２記載の発明は、請求項１記載の画像記録装置において、
前記集光レンズユニットを通過する光線のうち、前記凹凸部を通らない光線の像側焦点から、前記凹凸部を通過する光線の像側焦点までの、光軸方向における焦点距離の差Ｚは、以下の式（２）及び式（３）を満たすことを特徴とする。
Ｚ＝−８×Ｓ2×（ｎ−１）×σ／Ｌ2    …（２）
０≦｜Ｚ｜≦２  ［ｍｍ］              …（３）
【００１４】
請求項２記載の発明によれば、集光レンズユニットが上記式（２），（３）を満たすので、多重露光用の感光材料に画像を記録する場合に、凹凸部による焦点位置のずれ量、つまり焦点距離の差Ｚが一般に許容範囲内となる。従って、複数回の走査によって感光材料をいっそう均一に露光することができるため、画像にスジ状の記録ムラが生じるのを確実に防止することができる。
【００１５】
請求項３記載の発明は、請求項１または２記載の画像記録装置において、
前記光学面を有する前記レンズは、前記交差方向にパワーを有することを特徴とする。
【００１６】
請求項３記載の発明によれば、多重露光効果が前記交差方向（副走査方向）で顕著となるので、画像にスジ状の記録ムラが生じるのをより確実に防止することができる。
【００１７】
請求項４記載の発明は、請求項１〜３の何れか一項に記載の画像記録装置において、
前記偏向手段の走査毎に前記感光材料を前記交差方向に搬送することにより、当該感光材料における露光済み領域を前記交差方向に移動させる搬送装置を備え、
前記偏向手段が光線を走査することによって露光される前記感光材料の各単位露光領域のうち、前記交差方向の中央部での光エネルギーａと、
前記偏向手段が光線を複数回走査することによって多重露光される前記感光材料の各多重露光領域のうち、前記交差方向の中央部での光エネルギーｂと、
前記集光レンズユニットを通過する光線のうち、前記凹凸部を通らない光線の像側焦点から、前記凹凸部を通過する光線の像側焦点までの、光軸方向における焦点距離の差Ｚと、
多重露光による前記感光材料の感度上昇率αとが、以下の式（４）〜（８）を満たすことを特徴とする。
ａ＝１＋２×exp(−２×Ｐ2/(ｗ0/２)2/(１＋(４×λ×Ｚ/π/ｗ02)2)      …（４）
ｂ＝２×exp(−２×（Ｐ/２）2/(ｗ0/２)2/(１＋（４×λ×Ｚ/π/ｗ02）2)  …（５）
Ｚ＝−８×Ｓ2×（ｎ−１）×σ／Ｌ2    …（６）
０≦｜Ｚ｜≦２  ［ｍｍ］              …（７）
０．９≦α×（ｂ／ａ）≦１．１      …（８）
（但し、
ｐ：複数の前記単位露光領域のピッチ［μｍ］、
ｗ0：前記集光レンズユニットによって集光された光線の、前記交差方向におけるビームウェスト［μｍ］、
λ：光線の波長［ｎｍ］）
【００１８】
ここで、α×（ｂ／ａ）は走査線視認度を表し、より詳細には、前記交差方向においてスジ状に生じる記録ムラの視認度である。
請求項４記載の発明によれば、α×（ｂ／ａ）で表される走査線視認度が式（８）を満たすので、交差方向においてスジ状に生じる記録ムラを視認され難くすることができる。
【発明の効果】
【００１９】
請求項１記載の発明によれば、ガラス製の集光レンズユニットで画像を形成する従来の場合と比較して、低コストで画像を形成することができる。
【００２０】
請求項２記載の発明によれば、請求項１記載の発明と同様の効果を得ることができるのは勿論のこと、画像にスジ状の記録ムラが生じるのを確実に防止することができる。
【００２１】
請求項３記載の発明によれば、請求項１または２記載の発明と同様の効果を得ることができるのは勿論のこと、画像にスジ状の記録ムラが生じるのをより確実に防止することができる。
請求項４記載の発明によれば、請求項１〜３の何れか一項に記載の発明と同様の効果を得ることができるのは勿論のこと、交差方向においてスジ状に生じる記録ムラを視認され難くすることができる。
【発明を実施するための最良の形態】
【００２２】
以下、図を参照して本発明の実施の形態を説明する。
図１は、本発明に係る画像記録装置１の概略構成を示す図である。
【００２３】
この図に示すように、画像記録装置１は、多重露光用の感光材料Ｋに画像を記録するものであり、感光材料Ｋを裏面側から支持しつつ副走査方向Ｙに搬送する搬送装置２を備えている。なお、本実施の形態においては、副走査方向Ｙは感光材料Ｋの長手方向と平行になっている。また、感光材料Ｋは、多重露光により感度が上昇するようになっている。
【００２４】
この搬送装置２によって搬送される感光材料Ｋの対向位置には、画像記録部３が配設されている。
画像記録部３は、半導体レーザやＬＥＤ（発光ダイオード）等で構成された光源１０を有している。
【００２５】
光源１０は光線Ｌを照射するようになっており、この光線Ｌの光軸上には、光源１０から感光材料Ｋに向かって第１レンズユニット２０、反射板３０、回転多面鏡４０及び第２レンズユニット５０が、この順に配設されている。
【００２６】
第１レンズユニット２０は、少なくとも１つのレンズ２００で構成されており、光源１０から照射される光線Ｌを所定の形状に整形するようになっている。本実施の形態においては、この第１レンズユニット２０は、レンズ２００Ａ，２００Ｂで構成されており、光源からの発散光をレンズ２００Ａによって平行光に変換した後、レンズ２００Ｂによって回転多面鏡４０上で当該回転多面鏡４０の回転軸と直交する方向に線状となるよう整形している。また、レンズ２００Ａ，２００Ｂは、別々の光学系移動手段２５Ａ，２５Ｂによって光軸方向に移動可能となっており、この移動によって像面における光線Ｌの焦点位置が変化するようになっている。
【００２７】
なお、このような光学系移動手段２５Ａ，２５Ｂとしては、手動による移動機構の他、カム機構やボールネジ、モータ等を接続したものを用いることができる。
【００２８】
反射板３０は、反射鏡或いはプリズム等で構成されており、第１レンズユニット２０を通過した光線Ｌを回転多面鏡４０に向けて案内するようになっている。
【００２９】
回転多面鏡４０は、光線Ｌの光軸と、感光材料Ｋの垂線とに直交する中心軸を有する多角柱状の部材であり、反射板３０によって案内された光線Ｌを第２レンズユニット５０に向けて反射する反射鏡（図示せず）を各側周面に備えている。この回転多面鏡４０は、本発明における偏向手段であり、回転駆動手段（図示せず）の駆動によって前記中心軸を中心として回転することにより、光源１０から出射される光線Ｌを反射して主走査方向Ｘに走査させるようになっている。なお、本実施の形態においては、主走査方向Ｘは、上述の副走査方向Ｙと直交している。
【００３０】
第２レンズユニット５０は、本発明における集光レンズユニットであり、回転多面鏡４０によって反射された光線Ｌを感光材料Ｋの表面に集光するようになっている。この第２レンズユニット５０は、ｆθレンズ等、少なくとも１つのレンズ５００で構成されている。
【００３１】
ここで、図２に示すように、第２レンズユニット５０の少なくとも１つの光学面（以下、光学面６とする）は非球面形状であり、所要の光学的機能を得るための設計によって一義的に定まる光学面の理想形状に対し、製造誤差や変形などによって生じる凹凸部６０を有している。
【００３２】
この凹凸部６０を有するレンズ５００は、副走査方向Ｙにパワーを有している。
また、このレンズ５００は、第２レンズユニット５０を通過する光線のうち、凹凸部６０を通らない光線の像側焦点Ｆから、凹凸部６０を通過する光線の像側焦点ＦΔまでの光軸方向の差Ｚ（＝ＳΔ−Ｓ）が以下の式（２），（３）を満たすようになっている。
【００３３】
Ｚ＝−８×Ｓ2×（ｎ−１）×σ／Ｌ2      …（２）
０≦｜Ｚ｜≦２  ［ｍｍ］              …（３）
【００３４】
但し、「Ｓ」は第２レンズユニット５０の像側主面Ｈから像側焦点Ｆまでの距離［ｍｍ］であり、「ＳΔ」は像側主面Ｈから像側焦点ＦΔまでの距離［ｍｍ］である。また、「ｎ」は光学面６を有するレンズ５００の屈折率であり、「σ」は当該光学面の形状誤差による凹凸部６０の深さ［ｍｍ］であり、「Ｌ」は副走査方向Ｙにおける凹凸部６０の幅［ｍｍ］である。
【００３５】
なお、本実施の形態においては、Ｚ＝２ｍｍ、Ｓ＝１７０ｍｍ、ｎ＝１．５０９、Ｌ＝３ｍｍのとき、深さσはσ≦１５２ｍｍであれば許容される。
【００３６】
また、上記の式（２）は、以下のようにして導かれるものである。即ち、まず凹凸部６０を緩やかな曲面とみなすと、第２レンズユニット５０を通過する光線のうち、凹凸部６０を通らない光線の像側焦点Ｆと、凹凸部６０を通過する光線の像側焦点ＦΔとの間には焦点位置のずれが生じ、このずれは光軸方向の焦点距離の差Ｚ（＝ＳΔ−Ｓ）で表される。次に、第２レンズユニット５０のレンズ間距離を無視すると、当該凹凸部６０を有するレンズ５００に関して、１／Ｔ＋１／Ｓ＝１／ｆ、１／Ｔ＋１／ＳΔ＝１／ｆΔ、１／ｆΔ＝１／ｆ＋１／ｆσより、以下の式（１０）が導かれる。そして、凹凸部６０の曲率半径Ｒ（＝（ｎ−１）×ｆσ）と、円の公式とから（Ｒ−σ）2＋（Ｌ／２）2＝Ｒ2となり、σが十分に小さいことからσ2＝０とするとＲ≒Ｌ２／８σが得られ、これを式（１０）に適用することにより、上記の式（２）が導かれる。
Ｚ＝ＳΔ−Ｓ≒−Ｓ２×（１／ｆσ）      …（１０）
【００３７】
以上の第２レンズユニット５０に関しては、図３に示すように、回転多面鏡４０が光線Ｌを主走査方向Ｘに走査させることによって露光される感光材料Ｋの各単位露光領域のうち、副走査方向Ｙの中央部での光エネルギーａと、回転多面鏡４０が光線を複数回走査することによって多重露光される感光材料Ｋの各多重露光領域のうち、副走査方向Ｙの中央部での光エネルギーｂと、焦点距離の差Ｚと、多重露光による感光材料Ｋの感度上昇率αとが、以下の式（４）〜（８）を満たすようになっている。
【００３８】
ａ＝１＋２×exp(−２×Ｐ2/(ｗ0/２)2/(１＋(４×λ×Ｚ/π/ｗ02)2)      …（４）
ｂ＝２×exp(−２×（Ｐ/２）2/(ｗ0/２)2/(１＋（４×λ×Ｚ/π/ｗ02）2)  …（５）
Ｚ＝−８×Ｓ2×（ｎ−１）×σ／Ｌ2    …（６）
０≦｜Ｚ｜≦２  ［ｍｍ］              …（７）
０．９≦α×（ｂ／ａ）≦１．１      …（８）
【００３９】
ここで、式（４）〜（８）中、「λ」は光線の波長［ｎｍ］であり、「ｐ」は複数の単位露光領域のピッチ［μｍ］である。また、「ｗ」は第２レンズユニット５０に入射する光線の副走査方向Ｙにおけるビーム径［μｍ］であり、「ｗ0」は、第２レンズユニット５０によって集光された光線の、副走査方向Ｙにおけるビームウェスト［μｍ］である。また、α×（ｂ／ａ）は走査線視認度を表し、より詳細には、副走査方向Ｙにおいてスジ状に生じる記録ムラの視認度である。但し、本実施の形態においては、第２レンズユニット５０の入射前後での光線Ｌの断面の強度分布を、ガウス分布としている。
【００４０】
なお、例えばＰ＝２６μｍ、ｗ0＝５５μｍ、λ＝７８５ｎｍの場合に、走査線視認度（＝α×（ｂ／ａ））が上記式（８）を満たすためには、図４に示すように、αの値は１．０＜α≦１．１５となる。
【００４１】
以上の第２レンズユニット５０の各レンズ５００や、上記第１レンズユニット２０の各レンズ２００は、例えば特開２００５−１９５７１７号公報や、特開２００５−３５１９１４号公報などで開示の技術など、公知の技術によって製造することができる。
【００４２】
続いて、上記画像記録装置１の動作について説明する。
まず、光源１０が光線Ｌを照射すると、この光線Ｌは第１レンズユニット２０で整形され、反射板３０で反射された後、回転多面鏡４０で反射され、第２レンズユニット５０を介して感光材料Ｋの表面で結像する。
【００４３】
一方、光線Ｌの照射中に回転多面鏡４０が回動することによって、光線Ｌを感光材料Ｋの表面で主走査方向Ｘに走査させる。これにより、主走査方向Ｘと平行な領域内に画像が記録される。
【００４４】
次に、搬送装置２が感光材料Ｋを所定の長さだけ副走査方向Ｙに搬送することにより、感光材料Ｋの露光済み領域を副走査方向Ｙに移動させる。
以降、画像記録装置１が上記の各動作を繰り返すことにより、所望の画像が感光材料Ｋの表面に順次記録される。
【００４５】
以上の画像記録装置１によれば、多重露光用の感光材料Ｋに対して樹脂製の第２レンズユニット５０により画像を形成するので、ガラス製の集光レンズユニットで画像を形成する従来の場合と比較して、低コストで画像を形成することができる。
【００４６】
また、第２レンズユニット５０が上記式（２），（３）を満たす光学面を少なくとも１つ有するので、第２レンズユニット５０が樹脂製であるために設計上の理想的な光学面に対する凹凸部が製造誤差等によって形成され易い場合であっても、全ての光学面を理想的な光学面とする必要がない分、画像記録装置１の製造コストを低減することができる。従って、より低コストで画像を形成することができる。
【００４７】
また、第２レンズユニット５０が上記式（２），（３）を満たす光学面を有するので、設計上の理想的な光学面に対する凹凸部６０が形成されている場合であっても、凹凸部６０による焦点位置のずれ量、つまり焦点距離の差Ｚが一般に許容範囲内となる。従って、多重露光用の感光材料Ｋに画像を記録する場合に、複数回の走査によって感光材料Ｋを均一に露光することができるため、従来と異なり、画像にスジ状の記録ムラが生じるのを防止することができる。
【００４８】
また、α×（ｂ／ａ）で表される走査線視認度が式（８）を満たすので、副走査方向Ｙにおいてスジ状に生じる記録ムラを視認され難くすることができる。
【００４９】
なお、上記の実施の形態においては、本発明における集光レンズユニットを第２レンズユニット５０として説明したが、第１レンズユニット２０及び第２レンズユニット５０の両方としても良い。
【００５０】
また、多重露光により感度の上昇する感光材料Ｋを用いる場合について説明したが、感度の減少する感光材料Ｋを用いることとしても良い。ここで、感度の上昇する感光材料Ｋを用いる場合には、局部的なビーム径の拡大により黒いスジ状の記録ムラが発生するのを防止することができるのに対し、感度の減少する感光材料Ｋを用いる場合には、白いスジ状の記録ムラが発生するのを防止することができる。
【図面の簡単な説明】
【００５１】
【図１】本発明に係る画像記録装置の概略構成を示す概念図である。
【図２】光学面の凹凸部を説明するための概念図である。
【図３】感光材料の受けるエネルギーを示す図である。
【図４】走査線視認度と焦点距離のずれ量との関係を示す図である。
【図５】従来の画像記録装置を説明するための図である。
【符号の説明】
【００５２】
１      画像記録装置
２      搬送装置
６      光学面
１０    光源
４０    回転多面鏡（偏向手段）
５０    第２レンズユニット（集光レンズユニット）
６０    凹凸部
５００  レンズ
Ｋ      感光材料
Ｌ      光線
Ｘ      主走査方向
Ｙ      副走査方向（交差方向）
【図１】
2008003365.tif 000003
【図２】
2008003365.tif 000004
【図３】
2008003365.tif 000005
【図４】
2008003365.tif 000006
【図５】
2008003365.tif 000007